【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
流動分解触媒の保管に適した容器と、
前記容器内に配置され、前記容器内に少なくとも２つの区画を画成するセパレータと、
前記容器内に画成され、各区画に流体結合されるプレナムと、
複数の排出機構と
を備え、各排出機構がそれぞれ１つずつそれぞれの区画に結合される複数触媒注入システム。
【請求項２】
前記セパレータが、前記容器の底部から前記容器の頂部より低い高さへと延びる、請求項１に記載の複数触媒注入システム。
【請求項３】
前記セパレータがほぼ平坦である、請求項２に記載の複数触媒注入システム。
【請求項４】
前記セパレータが、
共通接合部から径方向外側に延びる２つ以上のフランジを備え、前記２つ以上のフランジが、それらの間に約１８０°未満の角度を形成する、請求項２に記載の複数触媒注入システム。
【請求項５】
前記２つ以上のフランジの少なくとも１つが、前記共通接合部の周りで回転可能である、請求項４に記載の複数触媒注入システム。
【請求項６】
前記区画の少なくとも２つの容積が異なる、請求項１に記載の複数触媒注入システム。
【請求項７】
前記少なくとも２つの区画の容積がほぼ等しい、請求項１に記載の複数触媒注入システム。
【請求項８】
前記区画のうち少なくとも１つの容積が調整可能である、請求項１に記載の複数触媒注入システム。
【請求項９】
前記容器の頂部を貫通して配置される複数の触媒充填ポートをさらに備え、前記プレナムが前記充填ポートに隣接して配置される、請求項１に記載の複数触媒注入システム。
【請求項１０】
前記プレナム内の圧力を決定するための電子圧力送信機をさらに備える、請求項１に記載の複数触媒注入システム。
【請求項１１】
前記電子圧力送信機が、少なくとも１ｐｓｉの分解能を有する、請求項１０に記載の複数触媒注入システム。
【請求項１２】
前記圧力送信機に結合された制御装置と、
前記送信機によって前記制御装置に証明される圧力計量に応じて、前記制御装置によって選択される作動状態を有する第１の弁と
をさらに備える、請求項１０に記載の複数触媒注入システム。
【請求項１３】
流動接触分解ユニットと、
前記流動接触分解ユニットに結合された、複数の触媒保管チャンバを有する触媒注入容器とを備える流動接触分解システム。
【請求項１４】
前記容器の底部に結合され、前記容器の頂部より低い高さまで延びるセパレータをさらに備える、請求項１３に記載の流動接触分解システム。
【請求項１５】
前記セパレータが、共通接合部から径方向外側に延びる２つ以上のフランジを備え、前記フランジの少なくとも２つが、急角度に曲がった向きをなす、請求項１４に記載の流動接触分解システム。
【請求項１６】
前記セパレータが、共通接合部から径方向外側に延びる２つ以上のフランジを備え、前記フランジの少なくとも２つが、前記共通接合部の周りで回転可能である、請求項１４に記載の流動接触分解システム。
【請求項１７】
前記区画の少なくとも２つの容積が異なる、請求項１３に記載の流動接触分解システム。
【請求項１８】
前記少なくとも２つの区画の容積がほぼ等しい、請求項１３に記載の流動接触分解システム。
【請求項１９】
前記容器の頂部を貫通して配置された複数の触媒充填ポートと、
前記充填ポートに隣接する前記容器内に配置され、前記区画に流体結合されたプレナムと
をさらに備える、請求項１３に記載の流動接触分解システム。
【請求項２０】
前記容器に結合され、前記容器内の圧力を１インチ当たり約５〜約８０ポンド（約０．３５〜約５．６ｋｇ／ｃｍ２）の範囲に制御するようになされた加圧システムをさらに備える、請求項１３に記載の流動接触分解システム。
【請求項２１】
前記加圧システムが、前記プレナム内の圧力を決定するための電子圧力送信機をさらに備える、請求項２０に記載の流動接触分解システム。
【請求項２２】
前記電子圧力送信機が、少なくとも１ｐｓｉの分解能を有する、請求項２１に記載の流動接触分解システム。
【請求項２３】
前記圧力送信機に結合された制御装置と、
前記送信機によって前記制御装置に証明される圧力計量に応じて、前記制御装置によって選択される作動状態を有する第１の弁と
をさらに備える、請求項２１に記載の流動接触分解システム。
【請求項２４】
各区画に結合されたそれぞれの計量装置をさらに備える、請求項１３に記載の流動接触分解システム。
【請求項２５】
前記容器の底部と頂部の間に結合されたセパレータと、
前記容器の前記頂部付近で前記セパレータを貫通して延びる少なくとも１つの穴と
をさらに備える、請求項１３に記載の流動接触分解システム。
【請求項２６】
前記区画の少なくとも１つの容積が調整可能である、請求項１３に記載の流動接触分解システム。
【請求項２７】
１つまたは複数の触媒を保管するように構成された容器と、
前記容器内の圧力計量を提供するように構成された圧力送信機と、
前記容器に結合された、前記容器内の気体圧力を調節するための圧力制御弁と、
前記容器に結合された、前記容器からの触媒排出を制御するための排出弁と、
前記送信機により入力として提供される前記計量を有する制御装置と
を備え、前記制御装置は、実行されると前記圧力制御弁と前記排出弁が同時に開くことを防止する命令を含む流動接触分解システム。
【請求項２８】
触媒を流動接触分解ユニットに注入するための方法であって、
容器の第１の区画内に触媒を保管することと、
前記容器の第２の区画内に触媒を保管することと、
前記第１の区画から流動接触分解ユニット内へと触媒を分配すること
とを含む方法。
【請求項２９】
前記区画の少なくとも１つの容積を調整することをさらに含む、請求項２８に記載の方法。
【請求項３０】
前記第２の区画から前記流動接触分解ユニット内へと触媒を分配することをさらに含む、請求項２８に記載の方法。
【請求項３１】
前記第１および第２の区画から触媒を分配する前記ステップが同時に行われる、請求項３０に記載の方法。
【請求項３２】
前記第１および第２の区画から触媒を分配する前記ステップが順次行われる、請求項３０に記載の方法。
【請求項３３】
前記第１および第２の区画に保管された前記触媒が化学的に異なる、請求項２９に記載の方法。
【請求項３４】
前記容器内の圧力を電子的に監視することと、
前記容器内の前記圧力を、前記監視した圧力に応じて調整することと
をさらに含む、請求項３０に記載の方法。
【請求項３５】
触媒を分配する前記ステップが、前記調整するステップと同時に行われることを防止することをさらに含む、請求項３４に記載の方法。
【請求項３６】
前記容器への触媒追加が、前記調整するステップと同時に行われることを防ぐことをさらに含む、請求項３４に記載の方法。
【請求項３７】
流動接触分解ユニット内に触媒を注入するための方法であって、
触媒保管容器内の圧力を調節することと、
前記保管容器のための触媒を分配することと、
前記調節と分配ステップが同時に行われることを防止することと
を含む方法。
【請求項３８】
流動接触分解ユニットに触媒を装填するための装填装置であって、
容器と、
前記容器に関連される複数の触媒保管領域と、
前記容器と関連される計量装置であり、前記複数の触媒保管領域の選択された一つから分配された触媒の量を示す計量を提供するように構成されている前記計量装置と
を備える装填装置。
【請求項３９】
流動接触分解ユニットに触媒を装填するための装填装置であって、
複数の触媒を流動接触分解ユニットに選択的に提供するように構成された容器であり、異なる触媒を前記容器内に装填するための複数の触媒入口ポートを有している前記容器と、
前記流動接触分解ユニットに送られた触媒の量を測定するよう構成された計量システムと、
前記計量システムに結合された制御装置であり、実行された場合に、前記複数の触媒の選択された一つを、前記容器を通して前記流動接触分解ユニットに送る命令を含んでいる前記制御装置と
を備える装填装置。
【請求項４０】
流動接触分解ユニットに触媒を供給する方法であって、
流動接触分解ユニットに対して複数の別個独立の触媒保管領域を有する注入装置を設けるステップと、
前記注入装置を通して前記流動接触分解ユニットに触媒を選択的に送るステップと、
前記注入装置を通して前記流動接触分解ユニットに送られた触媒の量を測定するステップと
を含む方法。
【請求項４１】
流動接触分解ユニットに触媒を供給する方法であって、
流動接触分解ユニットに結合された注入装置内に複数の触媒を流入させるステップと、
前記複数の触媒の選択された一つを前記流動接触分解ユニットに注入する前に、前記注入装置を加圧するステップ
を含む方法。
【請求項４２】
流動接触分解ユニットに触媒を供給する方法であって、
流動接触分解ユニットに結合された重量測定システムにおける変化を提供するステップと、
複数の触媒保管領域から選択的に前記重量測定システムを通して前記流動接触分解ユニットに自動的に触媒を提供するステップと
を含む方法。